(57)【要約】【課題】電磁ロック式安全スイッチにおいて、カムによって操作されるプランジャの下方変位をロックするロック部材のロック力に自由度をもたせてスイッチバリエーションを拡大する。【解決手段】キーの挿抜によって正逆方向に動作することでスイッチング機構に接点開閉の切換え動作を行なわせるカム機構８と、キー挿入によって惹起された接点閉状態をカム機構をロックすることで保持するロック部材１６とで構成され、キーに保証値を超える抜出し力がかかった場合に、カム機構はロック部材のロック力に打ち勝ってスイッチング機構に接点開動作を行なわせる電磁ロック式安全スイッチにおいて、ロック部材１６にロック力を任意の値に設定可能なロック力調節手段２９を設けた。【選択図】図２
2004079190.tif 000002
【特許請求の範囲】
【請求項１】
設備の電源回路のオン・オフを司るスイッチング機構と、キーの挿入ないし抜出しによって正方向ないし逆方向に動作することで前記スイッチング機構に接点開閉の切換え動作を行なわせるカム機構と、キー挿入によって惹起された接点閉状態を、前記カム機構をロックすることで保持するロック部材とで構成され、
前記キーに保証値を超える抜出し力がかかった場合に、前記カム機構は、前記ロック部材のロック力に打ち勝って前記スイッチング機構に接点開動作を行なわせる電磁ロック式安全スイッチにおいて、
前記ロック部材に、前記ロック力を任意の値に設定可能なロック力調節手段を設けたことを特徴とする電磁ロック式安全スイッチ。
【請求項２】
前記カム機構は、前記キーの挿入ないし抜出しにより正方向ないし逆方向に回転可能な回転カムと、該回転カムに付勢状態で当接して変位可能なプランジャとから構成されていることを特徴とする請求項１記載の電磁ロック式安全スイッチ。
【請求項３】
前記スイッチング機構は、固定接点に接触可能な可動接点を有して前記プランジャの正方向への変位時に正方向へ変位して前記可動接点を前記固定接点に接触させ、また前記プランジャの逆方向への変位時ないし前記カム機構が前記ロック部材のロック力に打ち勝った時に、逆方向へ変位して前記可動接点を前記固定接点から離間させる可動部材から構成されていることを特徴とする請求項１又は２記載の電磁ロック式安全スイッチ。
【請求項４】
前記ロック力調節手段は、ロック部材に形成した曲げ変形可能なロック領域から構成され、
前記キー挿入により前記ロック部材がロック位置に移動して前記ロック領域が前記プランジャと前記可動部材との間に位置して前記プランジャが前記可動部材に係合することを阻止し、
また前記キーに保証値を超える抜出し力がかかった場合に、前記プランジャが前記ロック部材のロック領域を変形させて前記可動部材を逆方向へ変位させることにより前記可動接点を前記固定接点から離間させることを特徴とする請求項２又は３記載の電磁ロック式安全スイッチ。
【請求項５】
前記変形したロック領域は前記可動部材に係合して、該可動部材の正方向への変位を阻止することで前記可動接点を前記固定接点から離間させた状態に保持させることを特徴とする請求項２、３又は４記載の電磁ロック式安全スイッチ。
【請求項６】
前記ロック部材は、前記変形したロック領域が前記可動部材に係合することによりアンロック位置への移動が阻止されることを特徴とする請求項２、３又は４記載の電磁ロック式安全スイッチ。
【請求項７】
前記ロック部材に開口部を形成して、該開口部を横切るロック領域としてのアーム部における一方の基部を、前記キーに保証値を超える抜出し力がかかった場合における変形破断部としたことを特徴とする請求項２ないし６のいずれか１つに記載の電磁ロック式安全スイッチ。
【請求項８】
前記アーム部における一方の基部の幅を変えることで前記ロック部材のロック力を調節することを特徴とする請求項７記載の電磁ロック式安全スイッチ。
【請求項９】
前記アーム部における一方の基部の幅を減少させて切欠部に形成したことを特徴とする請求項８記載の電磁ロック式安全スイッチ。
【請求項１０】
前記ロック部材をロック受け部材に嵌合させると共に、ロック部材に形成した開口部を横切るロック領域としての片持ちアーム部の先端部をロック受け部材に係合させて、該係合部の面積を変えることで前記ロック部材のロック力を調節することを特徴とする請求項２ないし６のいずれか１つに記載の電磁ロック式安全スイッチ。
【請求項１１】
前記ロック領域を、少なくとも前記ロック部材の一部に形成した薄肉部で構成して、該薄肉部の厚みを変えることで前記ロック力を調節可能にしたことを特徴とする請求項２ないし６のいずれか１つに記載の電磁ロック式安全スイッチ。
【請求項１２】
前記ロック部材の材質を変更することで前記ロック力を調節可能にしたことを特徴とする請求項２ないし１２のいずれか１つに記載の電磁ロック式安全スイッチ。
【発明の詳細な説明】
【０００１】
【発明が属する技術分野】
本発明は、ドアスイッチ等に使用される電磁ロック式安全スイッチに関する。
【０００２】
【従来の技術】
ドアロックスイッチは、一般に、自動化された工作機械を設置した作業エリアの出入り口に設けたドアの開閉を検知して、工作機械の電源を入り切りするものであり、ドアを閉めるとドア側に備えたキーが出入り口側に備えたスイッチ本体に挿入され、挿入されたキーによって内装カムが回転操作されてスイッチ本体に内蔵したスイッチング機構がスイッチオン状態に切換えられて電源回路などが接続されるとともにドアを開けるとキーの抜出しによって内装カムが回転操作されてスイッチング機構がスイッチオフ状態に切換えられて電源回路などが断たれるように構成されている。
【０００３】
ドアロックスイッチは、通常、スイッチ本体とスイッチ本体上端に載置されてネジなどで取付けられたキー挿入口付きヘッドケースとから構成されており、ヘッドケースにはカム支持用のベースが組み込まれている。このベースはカムを回転自在に挟持する一対の支持板を有しており、両支持板にはカム軸が挿通される筒状の軸受が突設されている。
【０００４】
なお、電磁ロック式のドアスイッチとしては、ドアを閉めるとロック方向へ付勢されたロック機構が働いて自動的にロックがかかり、電磁ソレノイドに通電してロック機構をアンロックすることでドアの開放を許容するメカロック方式のものと、ドアを閉めても直ちにはロックがかからず、電磁ソレノイドに通電している時間だけアンロック方向へ付勢されたロック機構を作動させてロック状態を保持し、電磁ソレノイドへの通電を停止することでアンロックしてドアの開放を許容するソレノイドロック方式のものとが知られている。
【０００５】
【発明が解決しようとする課題】
上記いずれの方式においても、アンロック操作することなく、ロックされている状態のままドアを無理に開けようとすると、キーを介してカムに過負荷がかかり、これによってベースが破壊されるばかりか、カムがヘッドケースに接触し、ヘッドケースも破壊されてキーが抜出しドアが開いてしまうとともに、この破損によってスイッチング機構がスイッチオン状態に保持されたままとなり、ドアが開放されているにもかかわらず電源回路が接続されたままになって工作機械が作動したままになる不具合がもたらされる。
【０００６】
換言すれば、過負荷でキーが抜出されると、ベース等の強度が低い部品から破壊され、その破壊モードは、キーにかかる負荷条件、スイッチの取付け条件や周辺環境等の種々の要因に依存し一定ではなくバラツキがあって制御できないため、ドアが開いているにもかかわらず工作機械の電源回路を開閉するスイッチング機構がオンの状態がもたらされることになる。
【０００７】
またロック強度はロック部材等の部品の強度に依存するが、これら部品の強度は一定でロック強度を調節することが困難であり、このためロック強度の多様化という観点からのスイッチのバリエーションの展開が困難であった。
【０００８】
本発明は、上記問題点に着目してなされたもので、その目的とするところは、保証値内では正常にスイッチング機構のスイッチオン状態を維持することができるロック力を確保できるとともに、過負荷でキーが抜出された場合でも破壊モードを一定にすることができ、これによってスイッチオフさせるフェールセーフを実現可能な電磁ロック式安全スイッチを提供することにある。
【０００９】
【課題を解決するための手段】
上記目的を達成するため、本発明は、設備の電源回路のオン・オフを司るスイッチング機構と、キーの挿入ないし抜出しによって正方向ないし逆方向に動作することで前記スイッチング機構に接点開閉の切換え動作を行なわせるカム機構と、キー挿入によって惹起された接点閉状態を、前記カム機構をロックすることで保持するロック部材とで構成され、前記キーに保証値を超える抜出し力がかかった場合に、前記カム機構は、前記ロック部材のロック力に打ち勝って前記スイッチング機構に接点開動作を行なわせる電磁ロック式安全スイッチにおいて、前記ロック部材に、前記ロック力を任意の値に設定可能なロック力調節手段を設けている。
【００１０】
従って、本発明は、キー挿入によって惹起された接点閉状態を、カム機構をロックすることで保持するロック部材を有するので、保証値内でのキーの抜出しに対しては正常にロック部材によるロック力が確保され電源回路のオン状態が保持される。
【００１１】
一方、キーに保証値を超える抜出し力がかかった場合に、カム機構はロック部材のロック力に打ち勝ってスイッチング機構に接点開動作を行なわせることが可能であるから、換言すればロック力はロック部材のみに依存するため、破壊モードを一定にすることができ、よってフェールセーフの実現が可能となる。
【００１２】
またロック部材は、ロック機能とフェールセーフ機能とを併せもつため、メカニカルロックタイプとソレノイドロックタイプとの種別の違いがロック部材の変更だけで実現可能であるから、部品点数の低減、生産性の向上、部材費低減が図れることになるとともに、ロック部材に両機能を集約させたため、スイッチ本体のコンパクト化が可能となる。
【００１３】
他方、ロック部材に、ロック力を任意の値に設定可能なロック力調節手段を設けているので、多様なロック強度をもつ安全スイッチを構成することができ、よってスイッチバリエーションの展開が容易となる。
【００１４】
ここで、保証値とは、正常にロック力が確保されるロック部材の変形抵抗ないし破断強さを意味する。
【００１５】
また、本発明は、前記カム機構は、前記キーの挿入ないし抜出しにより正方向ないし逆方向に回転可能な回転カムと、該回転カムに付勢状態で当接して変位可能なプランジャとから構成することが考えられる。
【００１６】
さらに本発明、前記スイッチング機構は、固定接点に接触可能な可動接点を有して前記プランジャの正方向への変位時に正方向へ変位して前記可動接点を前記固定接点に接触させ、また前記プランジャの逆方向への変位時ないし前記カム機構が前記ロック部材のロック力に打ち勝った時に、逆方向へ変位して前記可動接点を前記固定接点から離間させる可動部材から構成することが考えられる。
【００１７】
さらにまた本発明は、前記ロック力調節手段は、ロック部材に形成した曲げ変形可能なロック領域から構成され、前記キー挿入により前記ロック部材がロック位置に移動して前記ロック領域が前記プランジャと前記可動部材との間に位置して前記プランジャが前記可動部材に係合することを阻止し、また前記キーに保証値を超える抜出し力がかかった場合に、前記プランジャが前記ロック部材のロック領域を変形させて前記可動部材を逆方向へ変位させることにより前記可動接点を前記固定接点から離間させることが考えられる。
【００１８】
さらにまた本発明は、前記変形したロック領域は前記可動部材に係合して、該可動部材の正方向への変位を阻止することで前記可動接点を前記固定接点から離間させた状態に保持させることや、前記ロック部材は、前記変形したロック領域が前記可動部材に係合することによりアンロック位置への移動が阻止されることが考えられる。
【００１９】
従って、本発明は、スイッチ破壊後は、常に、電源回路はスイッチオフ状態となって安全ドアスイッチとしての機能が果たせないため、ユーザがスイッチの破壊を容易に判断することができる。
【００２０】
さらにまた本発明は、前記ロック部材に開口部を形成して、該開口部を横切るロック領域としてのアーム部における一方の基部を、前記キーに保証値を超える抜出し力がかかった場合における変形破断部とすることが考えられる。
【００２１】
さらにまた、本発明は、前記アーム部における一方の基部の幅を変えることで前記ロック部材のロック力を調節することが考えられる。
【００２２】
さらにまた、本発明は、前記アーム部における一方の基部の幅を減少させて切欠部に形成することが考えられる。
【００２３】
さらにまた、前記ロック部材をロック受け部材に嵌合させると共に、ロック部材に形成した開口部を横切るロック領域としての片持ちアーム部の先端部をロック受け部材に係合させて、該係合部の面積を変えることで前記ロック部材のロック力を調節することが考えられる。
【００２４】
さらにまた、本発明は、前記ロック領域を、少なくとも前記ロック部材の一部に形成した薄肉部で構成して、該薄肉部の厚みを変えることで前記ロック力を調節可能にすることが考えられる。
【００２５】
さらにまた、本発明は、前記ロック領域を、前記ロック部材の材質を変更することで前記ロック力を調節可能にすることが考えられる。
【００２６】
【発明の実施の形態】
以下、本発明に係る電磁ロック式安全スイッチの実施形態を、図面を参照しながら説明する。
【００２７】
図１および図２に示すように、安全スイッチは、工作機械が設置された自動工作エリアの出入り口などに取付けられて利用されるものであって、出入り口の固定枠に取付けられるインターロック付きのスイッチ本体１と、開閉されるドアに取付けられるキー２とからなる。
【００２８】
スイッチ本体１は、本体ケース３とこれの上端にネジ連結されるヘッドケース４とを備え、後述するように、本体ケース３にはメインとなるスイッチング機構５、ロック機構６およびモニタ用スイッチング機構７が組込まれ、また、ヘッドケース４にはスイッチング機構５を操作する操作機構としての回転カム８と、この回転カム８を支持するベース９とが組込まれるとともに、その頂壁にキー挿入口１０が形成されている。回転カム８の外形はキー挿入口１０へのキー２の挿入・抜出しに伴って正逆に回転操作される形状に形成されている。
【００２９】
スイッチング機構５は、図２（ｂ）に示すように、３対の固定端子１１と、図示しない上下動可能な可動部材１２に支持された３個の可動端子１３とから構成され、可動部材１２は復帰バネによって上方付勢されている。また、各可動端子１３は図示しないストローク吸収用バネを介して後退変位可能に弾性支持されている。
【００３０】
図２は、可動部材１２が復帰バネに抗して下方移動しているスイッチオフ状態を示し、可動端子１２が固定端子から離間して１組の固定端子１１に配線接続された電源回路が断たれるようになっている。また、可動部材１２が復帰バネによって上方に付勢移動することで、各可動端子１３が固定端子１１に接触導通してスイッチオン状態がもたらされ、電源回路が入れられるようになっている。また、可動部材１２の上端にはプランジャ１５が当接されており、このプランジャ１５がヘッドケース４内に突入されて回転カム８の外周カム面に当接されている。
【００３１】
そして、図２に示すように、キー２が抜出された状態では、回転カム８の大径カム部によってプランジャ１５が復帰バネに抗して押し下げられることで、可動部材１２が下方変位してスイッチオフ状態が創出され、また、図３に示すように、キー２が挿入されて回転カム８が図中反時計方向に回動されると、プランジャ１５が回転カム８の小径カムに係入して上方に変位可能になり、可動部材１２が上方に付勢変位してスイッチオン状態が創出される。
【００３２】
ロック機構６は、プランジャ１５の下部に作用する金属板製のロック部材１６、これを左右に変位させる揺動リンク１７、この揺動リンク１７を正逆に揺動操作する図示しないスライド部材、スライド部材に連結された電磁ソレノイド１９等から構成されており、電磁ソレノイド１９が通電されることで、ロック部材１６がロック位置にスライド変位されるようになっている。
【００３３】
なお、図示しないスライド部材には、モニタ用スイッチング機構７の可動部材が連結されており、モニタ用スイッチング機構７における２対の固定端子２２に対して可動部材に保持された２つの可動端子２３がそれぞれ離間ないし接触することで、モニタ用スイッチング機構がオフ・オンし、ソレノイド通電時にオンする。
【００３４】
ロック部材１６は、本体ケース３の内部に形成されたガイド溝に左右スライド自在に支持されており、後述するように、このロック部材１６の開口２７にはアーム部２９が片持ち状に延出されている。
【００３５】
図２に示すスイッチオフ状態では電磁ソレノイド１９は非通電状態にあり、揺動リンク１７が揺動付勢されることでロック部材１６がスライドされる。このとき、プランジャ１５はロック部材１６の開口２７を挿通してスイッチオフ位置まで押し下げられている。
【００３６】
キー２が抜出されたスイッチオフ状態では、回転カム８は図示しない回転阻止部材の係合によって回転阻止され、キー以外のもので回転カム８が操作されることが防止される。この回転阻止部材による係合はキー２を挿入することで、その回転阻止部材がバネ付勢力に抗して回転カムから離間させられることで解除される。
【００３７】
図３に示すように、キー２の挿入によって回転カム８が回転されてプランジャ１５および可動部材１２が上方変位してスイッチオン状態になると、ロック方向に付勢されているロック部材１６がスライド変位し、アーム部２９がプランジャ１５の直下に位置してプランジャの下方への変位を阻止するため、回転カム８の逆回転、つまり、キー２の抜出しが阻止される。
【００３８】
このスイッチオン状態でロック機構６のロック部材１６がロック位置まで変位すると、モニタ用スイッチング機構７もスイッチオン状態となる。このモニタ用スイッチング機構７の一組の回路はスイッチング機構５における一組の回路に直列に接続されており、この直列回路が閉成導通することで自動工作エリア内の工作機械への電源が入れられるようになっている。
【００３９】
キー２を抜出す場合には、電磁ソレノイド１９に通電して揺動リンク１７を強制揺動させ、ロック位置のロック部材１６をアンロック位置に退避させ、アーム部２９をプランジャ１５の下方変位を可能にする位置に移動させることで、プランジャ１５のロックを解除する。これによってキー２の抜き出し、つまり、ドアの開放が許容される。
【００４０】
次に、ロック解除を行なうことなく、ドアを無理に開いた場合の動作について説明する。図５に示すように、ロックがかかったスイッチオンの状態のままで、キー２に引抜き操作を加えると、回転カム８がキー２によって時計方向に回転され、ロック部材１６に当接したプランジャ１５に下方への操作力が与えられる。この場合、通常のドア開放操作に伴うキー抜出しに対しては、ロック部材１６のアーム部２９がプランジャ１５の下方変位を十分阻止するが、キー２が無理に引抜かれようとすると、後述するようにロック部材１６のアーム部２９の基端部に所定以上の荷重が作用し、大きい荷重に耐え切れなくなったアーム部２９が下方に屈曲変形され、プランジャ１５およびこれに当接操作される可動部材１２はスイッチオフ位置まで下動変位する。従って、モニタ用スイッチング機構７と直列の回路は開成され、工作機械への電源は断たれる。
【００４１】
上記のようにしてキー２が無理に抜出された後、知らずにドアが閉められて、キー２が再び挿入されると、プランジャ１５は回転カム８の回転に対応して上方変位が可能であるが、後述するように、可動部材１２は、屈曲変形されたアーム部２９によって上方変位が阻止され、スイッチング機構５はスイッチオフ状態に保持される。従って、無理にドアを開いた後に再びドアを閉めても電源は入れられることがない。
【００４２】
また、上記のようにしてキー２が無理に抜き出された後、ドアを閉じて（キー２を挿入し）ロック解除を行なうと、ロック部材１６が後退することで屈曲変形されたアーム部２９による牽制が解除された可動部材１２は正規に上動してスイッチオン状態となるが、ロック付勢されたロック部材１６のアーム部２９の先端が可動部材１２に引っ掛かって正規のロック位置までスライド移動できなくなり、モニタ用スイッチング機構７がスイッチオフとなり、この場合も電源が入らない状態となる。
【００４３】
上述したところの基本的構成は、従来の安全スイッチとほぼ同一である。本発明は以下の点に特徴を有する。すなわち、図６および図７に示すように、ロック部材１６はロック受け部材３０に嵌合された金属プレートから形成されており、この金属プレートには開口２７が形成されている。開口２７には、開口の全長にわたってロック領域としてのアーム部２９がロック部材１６の移動方向と直交する前後方向に形成されている。
【００４４】
アーム部２９の一方の基部、すなわちアーム部２９の前端部における左右両部には変形破断部としての切欠部３１が形成されており、この切欠部３１の近傍が、キー２に過負荷がかかった場合のプランジャ１５下端が当接するロック部分とされている。この左右両切欠部３１間の幅寸法を調節することで破断強さ、すなわちロック力を任意に設定することができる。
【００４５】
なお、ロック受け部材３０にはアーム部２９の変形を受入れる開口部３３と揺動リンク１７の先端部を嵌合させる細孔３４とロック受け部材３０を付勢するコイルバネが嵌合される凹部３５とが形成されている。
【００４６】
ロック力を調節する他の手段として、図７に示すように、アーム部２９を片持ち梁状に形成して、その先端部（前端部）をロック受け部材３０の開口部３３外周に係合させてもよい。このアーム部２９の係合部３７の係合量を調節することでロック力を調節することが可能である。ここに係合量は前後方向の係合長さないし係合面積を意味する。
【００４７】
なお、アーム部２９の先端部は必ずしもロック受け部材３０に乗り上げる必要はなく、アーム部２９の先端部をロック受け部材３０の開口部３３内周面の前部に係合させ、摩擦係合力を調節することによってもロック力を調節することができる。なお、片持ちアーム部２９の基端部の幅を変えることによってもロック力を調節することができる。
【００４８】
ロック力を調節するその他の手段として、ロック部材１６のロック領域の厚さを変えることでも調節可能である。すなわち、その１はアーム部２９の基部に切欠部３１を形成することなく、この部分を薄肉にすることである。その２はロック部材１６に開口２７を設けることなくアーム部２９に相当する部分を薄肉に形成することである。その３はアーム部２９に相当する部分の外周のみを薄肉に形成することである。なお、ロック部材１６に開口２７を設けない場合でも、プランジャの下方変位を許す透孔は必要である。
【００４９】
ロック力を調節する第３の手段として、ロック部材１６の材質変更がある。すなわち上記いずれの場合においてもロック部材１６の材質を適宜選択することによりさらに細かにロック力を調節することができる。ロック部材としては、ステンレススチール、鉄、真鍮等の曲げ変形可能な材質から選定する。
【００５０】
次に、上記ロック部材を使用した場合のロック動作を図８を参照しながら説明する。なお、ロック機構としてはソレノイドロックタイプを使用している。▲１▼ドアが開いた初期状態では、プランジャ１５がロック部材１６の開口２７を介して可動部材１２を下方変位させており、スイッチング機構５はオフである。
【００５１】
▲２▼キー２を挿入すると、プランジャ１５および可動部材１２が上方変位し、スイッチング機構５はオンとなる。▲３▼プランジャ１５上方変位後、ソレノイド通電によりロック部材１６が移動して、ロック領域（アーム部２９）がプランジャ１５下方のロック位置に達する。▲４▼ロック状態でキーに保証値内の抜出し力がかかってもプランジャ１５はロック部材１６によって下方変位を阻止されるため、スイッチオン状態は保持される。
【００５２】
▲５▼キーに過負荷がかかると、アーム部２９の切欠部３１が下方に変形を始め、これとともにプランジャ１５も下降を始める。▲６▼アーム部２９がさらに下方に変形して可動部材１２を下方変位させ、これによってスイッチング機構５がオフになる。▲７▼アーム部２９が変形により破断すると、この破断部が可動部材１２を押圧するため、スイッチング機構５は常にオフ状態が保持され、工作機械等の装置は可動不能である。なお、ソレノイドが通電されてもロック部材１６は破断部が可動部材１２に引っ掛かっているため、アンロック位置に移動することは不可能であり、やはり工作機械等の装置は可動不能である。
【００５３】
なお、メインスイッチ５とモニタスイッチ７とのシリアル接続は、ユーザーが触れられないスイッチ本体下部内で行なわれるので、ユーザーの誤配線が防止され、確実に安全回路としての電源回路が構成されるためユーザーの安全が確保される。
【００５４】
【発明の効果】
本発明は、設備の電源回路のオン・オフを司るスイッチング機構と、キーの挿入ないし抜出しによって正方向ないし逆方向に動作することで前記スイッチング機構に接点開閉の切換え動作を行なわせるカム機構と、キー挿入によって惹起された接点閉状態を、前記カム機構をロックすることで保持するロック部材とで構成され、前記キーに保証値を超える抜出し力がかかった場合に、前記カム機構は、前記ロック部材のロック力に打ち勝って前記スイッチング機構に接点開動作を行なわせる電磁ロック式安全スイッチにおいて、前記ロック部材に、前記ロック力を任意の値に設定可能なロック力調節手段を設けている。
【００５５】
従って、本発明は、キー挿入によって惹起された接点閉状態を、カム機構をロックすることで保持するロック部材を有するので、保証値内でのキーの抜出しに対しては正常にロック部材によるロック力が確保され電源回路のオン状態が保持される。
【００５６】
一方、キーに保証値を超える抜出し力がかかった場合に、カム機構はロック部材のロック力に打ち勝ってスイッチング機構に接点開動作を行なわせることが可能であるから、換言すればロック力はロック部材のみに依存するため、破壊モードを一定にすることができ、よってフェールセーフの実現が可能となる。
【００５７】
またロック部材は、ロック機能とフェールセーフ機能とを併せもつため、メカニカルロックタイプとソレノイドロックタイプとの種別の違いがロック部材の変更だけで実現可能であるから、部品点数の低減、生産性の向上、部材費低減が図れることになるとともに、ロック部材に両機能を集約させたため、スイッチ本体のコンパクト化が可能となる。
【００５８】
他方、ロック部材に、ロック力を任意の値に設定可能なロック力調節手段を設けているので、多様なロック強度をもつ安全スイッチを構成することができ、よってスイッチバリエーションの展開が容易となる。
【図面の簡単な説明】
【図１】本発明に係る電磁ロック式安全スイッチの斜視図である。
【図２】（ａ）同じく、キー抜け時の状態を示す断面図である。
（ｂ）同じく、（ａ）の状態でのスイッチ機構を示す略示図である。
【図３】（ａ）同じく、アンロック時の状態を示す断面図である。
（ｂ）同じく、（ａ）の状態でのスイッチ機構を示す略示図である。
【図４】（ａ）同じく、ロック時の状態を示す断面図である。
（ｂ）同じく、（ａ）の状態でのスイッチ機構を示す略示図である。
【図５】（ａ）同じく、過負荷でのキー抜け時の状態を示す断面図である。
（ｂ）同じく、（ａ）の状態でのスイッチ機構を示す略示図である
【図６】同じく、ロック部材の平面図である。
【図７】同じく、ロック部材をロック受け部材に嵌合した平面図である。
【図８】▲１▼　キーが抜かれた初期状態を示す動作説明図である。
▲２▼　キー挿入時を示す動作説明図である。
▲３▼　ロック部材の移動状態を示す動作説明図である。
▲４▼　ロック時の状態を示す動作説明図である。
▲５▼　過負荷時におけるロック部材の変形状態を示す動作説明図である。
▲６▼　ロック部材の変形により可動部材が下降した状態を示す動作説明図である。
▲７▼　ロック部材が破壊した状態を示す動作説明図である。
【符号の説明】
１　スイッチ本体
２　キー
３　本体ケース
４　ヘッドケース
６　ロック機構
８　回転カム
９　ベース
１６　ロック部材
２７　開口
２９　アーム部
３０　ロック受け部材
３１　切欠部
３７　係合部
【図１】
2004079190.tif 000003
【図２】
2004079190.tif 000004
【図３】
2004079190.tif 000005
【図４】
2004079190.tif 000006
【図５】
2004079190.tif 000007
【図６】
2004079190.tif 000008
【図７】
2004079190.tif 000009
【図８】
2004079190.tif 000010